(57)【要約】【課題】物理回線を増設することなく、センタの物理回線に割当てられたセッション数の制限を超えた数の拠点とセンタとを通信可能にする。【解決手段】サービスセンタの管理サーバ５は、セッション数の上限を超えている場合、現在セッションを確立している中から選択した迂回先を、接続を要求した拠点ルータ２ｂへ通知する。拠点ルータ２ｂは、通知された迂回先である拠点ルータ２ａとのセッションを確立する。また、サービスセンタのセンタルータ４は、拠点ルータ２ａとのセッションを切断した後、拠点ルータ２ａの使用帯域と拠点ルータ２ｂの使用帯域の合計帯域によって再びセッションを確立する。この確立されたセッションを用いて、端末１ａとサービス提供サーバ６のデータ通信が行なわれるとともに、端末１ｂとサービス提供サーバ６のデータ通信もまたこの確立されたセッションを迂回して行なわれる。【選択図】図１
2011151456.tif 000002
【特許請求の範囲】
【請求項１】
サービス提供装置が接続されたセンタ通信装置と、端末が接続された複数の拠点通信装置とをネットワークを介して接続してなるトラヒック迂回システムであって、
迂回元の前記拠点通信装置は、
前記センタ通信装置に送信した接続要求に対応して迂回先の通信アドレスを受信し、受信した前記通信アドレスにより特定される迂回先の前記拠点通信装置へセッション確立要求を送信して、前記迂回先の拠点通信装置とのセッションを確立する接続要求部と、
該迂回元の拠点通信装置に接続される前記端末と前記サービス提供装置との間のデータを、前記接続要求部によって確立された前記セッションを用いて送受信する迂回元データ通信制御部とを備え、
前記迂回先の拠点通信装置は、
前記迂回元の拠点通信装置からのセッション確立要求を受信し、前記迂回元の拠点通信装置とのセッションを確立する迂回セッション確立部と、
前記センタ通信装置から切断要求を受信し、前記センタ通信装置と確立済みのセッションを切断するセンタ指示切断部と、
前記センタ通信装置からセッション確立要求と切断された前記セッションよりも広帯域の使用帯域とを受信し、前記センタ通信装置と受信した前記使用帯域のセッションを確立する帯域増加再接続部と、
該迂回先の拠点通信装置に接続される前記端末と前記サービス提供装置との間のデータを、前記帯域増加再接続部によって確立された前記セッションを用いて送受信するとともに、前記迂回元の拠点通信装置に接続される前記端末と前記サービス提供装置との間のデータを、前記迂回セッション確立部によって確立された前記セッション及び前記帯域増加再接続部によって確立された前記セッションを用いて中継する迂回先データ通信制御部とを備え、
前記センタ通信装置は、
前記迂回元の拠点通信装置から前記接続要求を受信し、セッションの接続数が上限に達している場合に、セッション確立済みの前記拠点通信装置の中から選択した迂回先の前記拠点通信装置の通信アドレスを返送する接続指示部と、
前記迂回先の拠点通信装置に前記切断要求を送信して前記迂回先の拠点装置との前記セッションを切断した後、前記迂回先の拠点通信装置へセッション確立要求と、切断前よりも広帯域の前記使用帯域とを送信し、前記迂回先の拠点通信装置と送信した前記使用帯域のセッションを確立する帯域増加セッション確立部と、
前記迂回先の拠点通信装置に接続される前記端末と前記サービス提供装置との間のデータ、及び、前記迂回元の拠点通信装置に接続される前記端末と前記サービス提供装置との間のデータを、前記帯域増加セッション確立部が確立した前記セッションにより送受信するセンタデータ通信制御部とを備える、
ことを特徴とするトラヒック迂回システム。
【請求項２】
前記接続要求部は、要求する使用帯域を前記拠点通信装置へ送信し、
前記帯域増加セッション確立部は、切断した確立済みの前記セッションが使用していた帯域と、前記迂回元の拠点通信装置から受信した前記使用帯域との合計の使用帯域を前記迂回先の拠点通信装置へ送信する、
ことを特徴とする請求項１に記載のトラヒック迂回システム。
【請求項３】
前記センタ通信装置は、
前記拠点通信装置とのセッションの上限の使用帯域、及び、前記拠点通信装置と確立済みの前記セッションの使用帯域を示す接続拠点管理テーブルを記憶する記憶部と、
前記接続拠点管理テーブルを参照し、前記上限の使用帯域から確立済みの前記セッションの使用帯域を減算した空き帯域が、前記迂回元の拠点通信装置から受信した前記要求する使用帯域以上である前記拠点通信装置を選択する接続先選択部とをさらに備え、
前記接続指示部は、前記接続先選択部によって選択された前記拠点通信装置の通信アドレスを返送する、
ことを特徴とする請求項２に記載のトラヒック迂回システム。
【請求項４】
前記センタ通信装置は、
使用帯域に対応した料金を示す料金管理テーブル、及び、前記拠点通信装置と確立済みの前記セッションの使用帯域を記憶する記憶部と、
前記記憶部から読み出した前記拠点通信装置それぞれの使用帯域と、前記迂回元の拠点通信装置から受信した前記要求する使用帯域との合計の帯域を算出し、算出した前記合計の帯域それぞれに対応した料金を前記料金管理テーブルから読み出し、読み出した料金が最も安い前記拠点通信装置を選択する接続先選択部とをさらに備え、
前記接続指示部は、前記接続先選択部によって選択された前記拠点通信装置の通信アドレスを返送する、
ことを特徴とする請求項２に記載のトラヒック迂回システム。
【請求項５】
前記センタ通信装置は、
前記拠点通信装置の間の距離の情報を記憶する記憶部と、
セッション確立済みの前記拠点通信装置の中から、前記記憶部を参照して、前記迂回元の拠点通信装置と最も距離が近い前記拠点通信装置を選択する接続先選択部とをさらに備え、
前記接続指示部は、前記接続先選択部によって選択された前記拠点通信装置の通信アドレスを返送する、
ことを特徴とする請求項１または請求項２に記載のトラヒック迂回システム。
【請求項６】
前記迂回元の拠点通信装置は、
前記迂回先の拠点通信装置へ切断要求を送信し、前記迂回先の拠点通信装置との前記セッションを切断する迂回先切断要求部と、
前記センタ通信装置へ前記迂回先の拠点通信装置との接続切断を通知する迂回先切断通知部とをさらに備え、
前記迂回先の拠点通信装置は、
前記迂回元の前記拠点通信装置から前記切断要求を受信し、前記迂回元の拠点通信装置との前記セッションを切断する迂回元切断部と、
前記センタ通信装置から前記セッション確立要求と切断された前記セッションよりも狭帯域の使用帯域とを受信し、前記センタ通信装置と受信した前記使用帯域のセッションを確立する帯域減少再接続部とを備え、
前記迂回先データ通信制御部は、前記迂回先の拠点通信装置に接続される前記端末と前記サービス提供装置との間のデータを、前記帯域減少再接続部によって確立された前記セッションを用いて送受信し、
前記センタ通信装置は、
前記迂回元の拠点通信装置から前記接続切断の通知を受信し、前記迂回先の拠点通信装置へ切断指示を送信して該迂回先の拠点通信装置との前記セッションを切断した後、前記迂回先の拠点通信装置へセッション確立要求と、切断された前記セッションよりも狭帯域の使用帯域とを送信し、前記迂回先の拠点通信装置と送信した前記使用帯域のセッションを確立する帯域減少セッション確立部とをさらに備え、
前記センタデータ通信制御部は、前記迂回先の拠点通信装置に接続される前記端末と前記サービス提供装置との間のデータを、前記帯域減少セッション確立部が確立した前記セッションにより送受信する、
ことを特徴とする請求項１から請求項５のいずれかの項に記載のトラヒック迂回システム。
【請求項７】
前記迂回先の拠点通信装置は、
前記センタ通信装置へ切断要求を送信し、前記センタ通信装置との前記セッションを切断する切断要求部をさらに備え、
前記センタ通信装置は、
前記迂回先の拠点通信装置から前記切断要求を受信し、前記迂回先の拠点通信装置との前記セッションを切断するとともに前記迂回元の拠点通信装置へ接続切断要求を送信する迂回先切断指示部と、
前記迂回元の拠点通信装置にセッション確立要求を送信し、前記迂回元の拠点通信装置とのセッションを確立する再接続確立部とを備え、
前記センタデータ通信制御部は、前記迂回元の拠点通信装置に接続される前記端末と前記サービス提供装置との間のデータを前記再接続確立部が確立した前記セッションにより送受信し、
前記迂回元の拠点通信装置は、
前記センタ通信装置から前記接続切断要求を受信し、前記迂回先の拠点通信装置とのセッションを切断する迂回先切断部と、
前記センタ通信装置から前記セッション確立要求を送信し、前記センタ通信装置とのセッションを確立する再接続部とを備え、
前記迂回元データ通信制御部は、該迂回元の拠点通信装置に接続される前記端末と前記サービス提供装置との間のデータを前記再接続部によって確立された前記セッションを用いて送受信する、
ことを特徴とする請求項１から請求項５のいずれかの項に記載のトラヒック迂回システム。
【請求項８】
サービス提供装置が接続されたセンタ通信装置と、端末が接続された複数の拠点通信装置とをネットワークを介して接続してなるトラヒック迂回システムに用いられるトラヒック迂回方法であって、
迂回元の前記拠点通信装置において、
接続要求部が、前記センタ通信装置に接続要求を送信する接続要求過程と、
前記センタ通信装置において、
接続指示部が、前記迂回元の拠点通信装置から前記接続要求を受信し、セッションの接続数が上限に達している場合に、セッション確立済みの前記拠点通信装置の中から選択した迂回先の前記拠点通信装置の通信アドレスを返送する接続指示過程と、
迂回元の前記拠点通信装置において、
前記接続要求部が、前記センタ通信装置から受信した前記通信アドレスにより特定される迂回先の前記拠点通信装置へセッション確立要求を送信して、前記迂回先の拠点通信装置とのセッションを確立する接続要求過程と、
前記迂回先の拠点通信装置において、
迂回セッション確立部が、前記迂回元の拠点通信装置からのセッション確立要求を受信し、前記迂回元の拠点通信装置とのセッションを確立する迂回セッション確立過程と、
前記センタ通信装置において、
帯域増加セッション確立部が、前記迂回先の拠点通信装置に切断指示を送信して前記迂回先の拠点装置とのセッションを切断する切断指示過程と、
前記迂回先の拠点通信装置において、
センタ指示切断部が、前記センタ通信装置から前記切断指示を受信し、前記センタ通信装置と確立済みの前記セッションを切断するセンタ指示切断過程と、
前記センタ通信装置において、
前記帯域増加セッション確立部が、前記迂回先の拠点通信装置へセッション確立要求と、切断された前記セッションよりも広帯域の使用帯域とを送信し、前記迂回先の拠点通信装置と送信した前記使用帯域のセッションを確立する帯域増加セッション確立過程と、
前記迂回先の拠点通信装置において、
帯域増加再接続部が、前記センタ通信装置から前記セッション確立要求と前記使用帯域とを受信し、前記センタ通信装置と受信した前記使用帯域のセッションを確立する帯域増加再接続過程と、
前記迂回元の拠点通信装置において、
迂回元データ通信制御部が、該迂回元の拠点通信装置に接続される前記端末と前記サービス提供装置との間のデータを、前記接続要求過程において確立された前記セッションを用いて送受信する迂回元データ通信制御過程と、
前記迂回先の拠点通信装置において、
迂回先データ通信制御部が、該迂回先の拠点通信装置に接続される前記端末と前記サービス提供装置との間のデータを、前記帯域増加再接続過程において確立された前記セッションを用いて送受信するとともに、前記迂回元の拠点通信装置に接続される前記端末と前記サービス提供装置との間のデータを、前記迂回セッション確立過程において確立された前記セッション及び前記帯域増加再接続過程において確立された前記セッションを用いて中継する迂回先データ通信制御過程と、
前記センタ通信装置において、
センタデータ通信制御部が、前記迂回先の拠点通信装置に接続される前記端末と前記サービス提供装置との間のデータ、及び、前記迂回元の拠点通信装置に接続される前記端末と前記サービス提供装置との間のデータを、前記帯域増加セッション確立過程において確立した前記セッションにより送受信するセンタデータ通信制御過程と、
を有することを特徴とするトラヒック迂回方法。
【発明の詳細な説明】
【技術分野】
【０００１】
本発明は、トラヒック迂回システム及びトラヒック迂回方法に関する。
【背景技術】
【０００２】
センタのサーバが複数の拠点の端末からアクセスされる構成においては、通常、センタは複数の拠点と同時にセッションを確立していた。
また、特許文献１には、セッションが確立されている端末から送信されたパケットを中継する中継装置において、パケットの廃棄を防止するとともに、パケットのスループット効率を向上させる技術について記載されている。
【先行技術文献】
【特許文献】
【０００３】
【特許文献１】特開２００９−１０５９５２号公報
【発明の概要】
【発明が解決しようとする課題】
【０００４】
センタと各拠点とを接続する物理回線には、同時に接続可能なセッション数に制限がある。従って、その制限を越える数の拠点とのセッションが発生する場合、拠点とセンタとの間の物理回線自体を増設し、収容セッション数がより多いネットワークサービスに変更する必要がある。そのため、例えば、データバックアップのときのみ多くのセッション数が必要であるなど、セッション数を一時的に増加させる必要がある場合でも、最もセッション数が多いときに合わせたサービスに変更しなければならない。一般的には、収容セッション数が多いサービスほど料金は高くなり、また、物理回線の増設等にもコストがかかるため、最もセッション数が多いときに合わせてサービス変更した場合には、無駄な投資が発生することがある。
特許文献１の技術の場合、接続可能なセッション数自体を増加させるものではない。
【０００５】
本発明は、上記のような事情を考慮してなされたものであり、物理回線を増設することなく、センタの物理回線に割当てられたセッション数の制限を超えた数の拠点とセンタとを通信可能にすることができるトラヒック迂回システム及びトラヒック迂回方法を提供することを目的とする。
【課題を解決するための手段】
【０００６】
上記課題を解決するため、本発明は、サービス提供装置が接続されたセンタ通信装置と、端末が接続された複数の拠点通信装置とをネットワークを介して接続してなるトラヒック迂回システムであって、迂回元の前記拠点通信装置は、前記センタ通信装置に送信した接続要求に対応して迂回先の通信アドレスを受信し、受信した前記通信アドレスにより特定される迂回先の前記拠点通信装置へセッション確立要求を送信して、前記迂回先の拠点通信装置とのセッションを確立する接続要求部と、該迂回元の拠点通信装置に接続される前記端末と前記サービス提供装置との間のデータを、前記接続要求部によって確立された前記セッションを用いて送受信する迂回元データ通信制御部とを備え、前記迂回先の拠点通信装置は、前記迂回元の拠点通信装置からのセッション確立要求を受信し、前記迂回元の拠点通信装置とのセッションを確立する迂回セッション確立部と、前記センタ通信装置から切断要求を受信し、前記センタ通信装置と確立済みのセッションを切断するセンタ指示切断部と、前記センタ通信装置からセッション確立要求と切断された前記セッションよりも広帯域の使用帯域とを受信し、前記センタ通信装置と受信した前記使用帯域のセッションを確立する帯域増加再接続部と、該迂回先の拠点通信装置に接続される前記端末と前記サービス提供装置との間のデータを、前記帯域増加再接続部によって確立された前記セッションを用いて送受信するとともに、前記迂回元の拠点通信装置に接続される前記端末と前記サービス提供装置との間のデータを、前記迂回セッション確立部によって確立された前記セッション及び前記帯域増加再接続部によって確立された前記セッションを用いて中継する迂回先データ通信制御部とを備え、前記センタ通信装置は、前記迂回元の拠点通信装置から前記接続要求を受信し、セッションの接続数が上限に達している場合に、セッション確立済みの前記拠点通信装置の中から選択した迂回先の前記拠点通信装置の通信アドレスを返送する接続指示部と、前記迂回先の拠点通信装置に前記切断要求を送信して前記迂回先の拠点装置との前記セッションを切断した後、前記迂回先の拠点通信装置へセッション確立要求と、切断前よりも広帯域の前記使用帯域とを送信し、前記迂回先の拠点通信装置と送信した前記使用帯域のセッションを確立する帯域増加セッション確立部と、前記迂回先の拠点通信装置に接続される前記端末と前記サービス提供装置との間のデータ、及び、前記迂回元の拠点通信装置に接続される前記端末と前記サービス提供装置との間のデータを、前記帯域増加セッション確立部が確立した前記セッションにより送受信するセンタデータ通信制御部とを備える、ことを特徴とするトラヒック迂回システムである。
【０００７】
また、本発明は、上述したトラヒック迂回システムにおいて、前記接続要求部は、要求する使用帯域を前記拠点通信装置へ送信し、前記帯域増加セッション確立部は、切断した確立済みの前記セッションが使用していた帯域と、前記迂回元の拠点通信装置から受信した前記使用帯域との合計の使用帯域を前記迂回先の拠点通信装置へ送信する、ことを特徴とする。
【０００８】
また、本発明は、上述したトラヒック迂回システムにおいて、前記センタ通信装置は、前記拠点通信装置とのセッションの上限の使用帯域、及び、前記拠点通信装置と確立済みの前記セッションの使用帯域を示す接続拠点管理テーブルを記憶する記憶部と、前記接続拠点管理テーブルを参照し、前記上限の使用帯域から確立済みの前記セッションの使用帯域を減算した空き帯域が、前記迂回元の拠点通信装置から受信した前記要求する使用帯域以上である前記拠点通信装置を選択する接続先選択部とをさらに備え、前記接続指示部は、前記接続先選択部によって選択された前記拠点通信装置の通信アドレスを返送する、ことを特徴とする。
【０００９】
また、本発明は、上述したトラヒック迂回システムにおいて、前記センタ通信装置は、使用帯域に対応した料金を示す料金管理テーブル、及び、前記拠点通信装置と確立済みの前記セッションの使用帯域を記憶する記憶部と、前記記憶部から読み出した前記拠点通信装置それぞれの使用帯域と、前記迂回元の拠点通信装置から受信した前記要求する使用帯域との合計の帯域を算出し、算出した前記合計の帯域それぞれに対応した料金を前記料金管理テーブルから読み出し、読み出した料金が最も安い前記拠点通信装置を選択する接続先選択部とをさらに備え、前記接続指示部は、前記接続先選択部によって選択された前記拠点通信装置の通信アドレスを返送する、ことを特徴とする。
【００１０】
また、本発明は、上述したトラヒック迂回システムにおいて、前記センタ通信装置は、前記拠点通信装置の間の距離の情報を記憶する記憶部と、セッション確立済みの前記拠点通信装置の中から、前記記憶部を参照して、前記迂回元の拠点通信装置と最も距離が近い前記拠点通信装置を選択する接続先選択部とをさらに備え、前記接続指示部は、前記接続先選択部によって選択された前記拠点通信装置の通信アドレスを返送する、ことを特徴とする。
【００１１】
また、本発明は、上述したトラヒック迂回システムにおいて、前記迂回元の拠点通信装置は、前記迂回先の拠点通信装置へ切断要求を送信し、前記迂回先の拠点通信装置との前記セッションを切断する迂回先切断要求部と、前記センタ通信装置へ前記迂回先の拠点通信装置との接続切断を通知する迂回先切断通知部とをさらに備え、前記迂回先の拠点通信装置は、前記迂回元の前記拠点通信装置から前記切断要求を受信し、前記迂回元の拠点通信装置との前記セッションを切断する迂回元切断部と、前記センタ通信装置から前記セッション確立要求と切断された前記セッションよりも狭帯域の使用帯域とを受信し、前記センタ通信装置と受信した前記使用帯域のセッションを確立する帯域減少再接続部とを備え、前記迂回先データ通信制御部は、前記迂回先の拠点通信装置に接続される前記端末と前記サービス提供装置との間のデータを、前記帯域減少再接続部によって確立された前記セッションを用いて送受信し、前記センタ通信装置は、前記迂回元の拠点通信装置から前記接続切断の通知を受信し、前記迂回先の拠点通信装置へ切断指示を送信して該迂回先の拠点通信装置との前記セッションを切断した後、前記迂回先の拠点通信装置へセッション確立要求と、切断された前記セッションよりも狭帯域の使用帯域とを送信し、前記迂回先の拠点通信装置と送信した前記使用帯域のセッションを確立する帯域減少セッション確立部とをさらに備え、前記センタデータ通信制御部は、前記迂回先の拠点通信装置に接続される前記端末と前記サービス提供装置との間のデータを、前記帯域減少セッション確立部が確立した前記セッションにより送受信する、ことを特徴とする。
【００１２】
また、本発明は、上述したトラヒック迂回システムにおいて、前記センタ通信装置へ切断要求を送信し、前記センタ通信装置との前記セッションを切断する切断要求部をさらに備え、前記センタ通信装置は、前記迂回先の拠点通信装置から前記切断要求を受信し、前記迂回先の拠点通信装置との前記セッションを切断するとともに前記迂回元の拠点通信装置へ接続切断要求を送信する迂回先切断指示部と、前記迂回元の拠点通信装置にセッション確立要求を送信し、前記迂回元の拠点通信装置とのセッションを確立する再接続確立部とを備え、前記センタデータ通信制御部は、前記迂回元の拠点通信装置に接続される前記端末と前記サービス提供装置との間のデータを前記再接続確立部が確立した前記セッションにより送受信し、前記迂回元の拠点通信装置は、前記センタ通信装置から前記接続切断要求を受信し、前記迂回先の拠点通信装置とのセッションを切断する迂回先切断部と、前記センタ通信装置から前記セッション確立要求を送信し、前記センタ通信装置とのセッションを確立する再接続部とを備え、前記迂回元データ通信制御部は、該迂回元の拠点通信装置に接続される前記端末と前記サービス提供装置との間のデータを前記再接続部によって確立された前記セッションを用いて送受信する、ことを特徴とする。
【００１３】
また、本発明は、サービス提供装置が接続されたセンタ通信装置と、端末が接続された複数の拠点通信装置とをネットワークを介して接続してなるトラヒック迂回システムに用いられるトラヒック迂回方法であって、迂回元の前記拠点通信装置において、接続要求部が、前記センタ通信装置に接続要求を送信する接続要求過程と、前記センタ通信装置において、接続指示部が、前記迂回元の拠点通信装置から前記接続要求を受信し、セッションの接続数が上限に達している場合に、セッション確立済みの前記拠点通信装置の中から選択した迂回先の前記拠点通信装置の通信アドレスを返送する接続指示過程と、迂回元の前記拠点通信装置において、前記接続要求部が、前記センタ通信装置から受信した前記通信アドレスにより特定される迂回先の前記拠点通信装置へセッション確立要求を送信して、前記迂回先の拠点通信装置とのセッションを確立する接続要求過程と、前記迂回先の拠点通信装置において、迂回セッション確立部が、前記迂回元の拠点通信装置からのセッション確立要求を受信し、前記迂回元の拠点通信装置とのセッションを確立する迂回セッション確立過程と、前記センタ通信装置において、帯域増加セッション確立部が、前記迂回先の拠点通信装置に切断指示を送信して前記迂回先の拠点装置とのセッションを切断する切断指示過程と、前記迂回先の拠点通信装置において、センタ指示切断部が、前記センタ通信装置から前記切断指示を受信し、前記センタ通信装置と確立済みの前記セッションを切断するセンタ指示切断過程と、前記センタ通信装置において、前記帯域増加セッション確立部が、前記迂回先の拠点通信装置へセッション確立要求と、切断された前記セッションよりも広帯域の使用帯域とを送信し、前記迂回先の拠点通信装置と送信した前記使用帯域のセッションを確立する帯域増加セッション確立過程と、前記迂回先の拠点通信装置において、帯域増加再接続部が、前記センタ通信装置から前記セッション確立要求と前記使用帯域とを受信し、前記センタ通信装置と受信した前記使用帯域のセッションを確立する帯域増加再接続過程と、前記迂回元の拠点通信装置において、迂回元データ通信制御部が、該迂回元の拠点通信装置に接続される前記端末と前記サービス提供装置との間のデータを、前記接続要求過程において確立された前記セッションを用いて送受信する迂回元データ通信制御過程と、前記迂回先の拠点通信装置において、迂回先データ通信制御部が、該迂回先の拠点通信装置に接続される前記端末と前記サービス提供装置との間のデータを、前記帯域増加再接続過程において確立された前記セッションを用いて送受信するとともに、前記迂回元の拠点通信装置に接続される前記端末と前記サービス提供装置との間のデータを、前記迂回セッション確立過程において確立された前記セッション及び前記帯域増加再接続過程において確立された前記セッションを用いて中継する迂回先データ通信制御過程と、前記センタ通信装置において、センタデータ通信制御部が、前記迂回先の拠点通信装置に接続される前記端末と前記サービス提供装置との間のデータ、及び、前記迂回元の拠点通信装置に接続される前記端末と前記サービス提供装置との間のデータを、前記帯域増加セッション確立過程において確立した前記セッションにより送受信するセンタデータ通信制御過程と、を有することを特徴とするトラヒック迂回方法である。
【発明の効果】
【００１４】
上記構成によれば、物理回線を増設することなく、物理回線に割当てられたセッション数の制限を超えた数の拠点とセンタとを通信可能にすることができる。
【図面の簡単な説明】
【００１５】
【図１】本発明の一実施の形態を説明するためトラヒック迂回システムの全体構成図である。
【図２】同実施の形態による拠点ルータの構成を示すブロック図である。
【図３】同実施の形態によるセンタルータの構成を示すブロック図である。
【図４】同実施の形態による管理サーバの構成を示すブロック図である。
【図５】同実施の形態によるルーチング設定情報のデータ構成を示す図である。
【図６】同実施の形態による接続拠点管理テーブルのデータ構成を示す図である。
【図７】同実施の形態による料金管理テーブルのデータ構成を示す図である。
【図８】同実施の形態による拠点間距離管理テーブルのデータ構成を示す図である。
【図９】同実施の形態による迂回シーケンスを示す図である。
【図１０】同実施の形態による迂回シーケンスを示す図である。
【図１１】同実施の形態による迂回元切断のシーケンスを示す図である。
【図１２】同実施の形態による迂回先切断のシーケンスを示す図である。
【図１３】ルーチング設定情報の設定例を示す図である。
【図１４】ルーチング設定情報の設定例を示す図である。
【図１５】接続拠点管理テーブルの設定例を示す図である。
【図１６】接続拠点管理テーブルの設定例を示す図である。
【図１７】接続拠点管理テーブルの設定例を示す図である。
【図１８】接続要求の設定内容を示す図である。
【図１９】接続要求応答の設定内容を示す図である。
【図２０】接続切断通知の設定内容を示す図である。
【図２１】接続切断通知応答の設定内容を示す図である。
【図２２】接続切断要求の設定内容を示す図である。
【図２３】接続切断要求応答の設定内容を示す図である。
【発明を実施するための形態】
【００１６】
以下、図面を参照して本発明の実施の形態について説明する。
図１は本発明の実施の形態を説明するためのトラヒック迂回システムの全体構成図である。図１において、例えば、ＮＧＮ（Next Generation Network：次世代ネットワーク）などのＩＰ（Internet Protocol）網であるネットワークＮには、各拠点の拠点ルータ２、サービスセンタのセンタルータ４、及び、ＳＩＰ（Session Initiation Protocol）サーバ３が接続されている。各拠点の拠点ルータ２には、１台以上の端末１が接続され、サービスセンタのセンタルータ４には、セッションの管理を行なう管理サーバ５と、端末１に対してアプリケーションサービスなどを提供するサービス提供サーバ６が接続される。端末１は、例えば、パーソナルコンピュータやワークステーションなどのコンピュータ端末である。また、ＳＩＰサーバ３は、ＳＩＰメッセージ内に設定されている宛先のアドレスを実ＩＰアドレスに変換することによって、ＳＩＰメッセージを中継する。ＳＩＰとは、ＩＥＴＦ（Internet Engineering Task Force）によって標準化されたセッション制御プロトコルであり、ＩＰ電話などのセッションの開始、変更、終了などの操作に用いられる。なお、ＳＩＰセッションの確立時には、データ通信の使用帯域を指定することができる。
【００１７】
図１に示すトラヒック迂回システムにおいて、サービスセンタ（以下、単に「センタ」とも記載する）に収容されるセンタ回線には、全拠点との間で確立するＳＩＰセッション数の制限がある。そのため、センタ接続を要求する拠点ルータ２の数が、センタ回線のＳＩＰセッション数の上限よりも多くなってしまった場合、サービスセンタとの間でセッションを確立することはできない。そこで、本実施の形態においては、上限を超えた拠点については、現在サービスセンタとのセッションが確立されている他の拠点の拠点ルータ２を迂回して接続する。これにより、センタ接続を要求する拠点ルータ２の数が、センタ回線が許容するＳＩＰセッション数を超える場合であっても、センタ側の物理回線を増やすことなく、サービスセンタへの接続を可能にする。
【００１８】
以下、サービスセンタとセッションを確立している他の拠点ルータ２とセッションを確立し、この他の拠点ルータ２においてセッションを迂回させる拠点ルータ２を迂回元拠点ルータまたは迂回元の拠点ルータ２と記載し、迂回元拠点ルータとサービスセンタの間のセッションの迂回を行なう他の拠点ルータ２を迂回先拠点ルータまたは迂回先の拠点ルータ２と記載する。
また、各拠点の端末１、及び、拠点ルータ２を、拠点に対応した符号を付加することによって表す。例えば、拠点Ａの端末１、拠点ルータ２をそれぞれ端末１ａ、拠点ルータ２ａと記載し、拠点Ｂの端末１、拠点ルータ２をそれぞれ端末１ｂ、拠点ルータ２ｂと記載する。
【００１９】
図２は、拠点通信装置としての拠点ルータ２の内部構成を示す機能ブロック図である。
同図において、拠点ルータ２は、通信インタフェース部２２、セッション制御部２４、記憶部２６、及び、データ通信制御部２８を備えて構成される。
【００２０】
通信インタフェース部２２は、ネットワークＮを介したデータの送受信を行なう。セッション制御部２４は、ＳＩＰによるセッション制御を行なう。記憶部２６は、ＩＰｓｅｃに用いられるルーチング設定情報を記憶する。データ通信制御部２８は、記憶部２６に記憶されているルーチング設定情報を用いて、ＩＰｓｅｃによるデータ通信制御を行なうとともに、セッションの確立や切断に伴って、記憶部２６に記憶されているルーチング設定情報を書き換える。
【００２１】
セッション制御部２４は、接続要求部２４１、迂回先切断要求部２４２、迂回先切断通知部２４３、迂回先切断部２４４、再接続部２４５、迂回セッション確立部２４６、センタ指示切断部２４７、帯域増加再接続部２４８、迂回元切断部２４９、切断要求部２５０、及び、帯域減少再接続部２５１を備える。
【００２２】
接続要求部２４１は、管理サーバ５へ接続要求を送信し、センタルータ４または迂回先拠点ルータとのセッションを確立する。迂回先切断要求部２４２は、自拠点ルータ２が迂回元拠点ルータであり、かつ、データ通信が終了した場合に、迂回先拠点ルータへセッションの切断を要求する。迂回先切断通知部２４３は、迂回先拠点ルータとのセッションを切断したことを管理サーバ５へ通知する。迂回先切断部２４４は、迂回先拠点ルータとセンタルータ４とのセッションを切断した旨の通知を管理サーバ５から受信し、この迂回先拠点ルータとのセッションを切断する。再接続部２４５は、迂回先拠点ルータがセンタルータ４とのセッションを切断した旨の通知を管理サーバ５から受信し、センタルータ４と直接セッションを確立する。
【００２３】
迂回セッション確立部２４６は、センタルータ４とのセッションが確立されているときに迂回元拠点ルータから呼接続要求（セッション確立要求）を受信し、この迂回元拠点ルータとのセッションを確立する。センタ指示切断部２４７は、センタルータ４とのセッションを切断する。帯域増加再接続部２４８は、センタ指示切断部２４７によってセンタルータ４とのセッションが切断されたのち、センタルータ４からの指示に従い、迂回元拠点ルータの使用帯域分増加した帯域のセッションをセンタルータ４との間で再確立する。迂回元切断部２４９は、自拠点ルータ２が迂回先拠点ルータであり、かつ、迂回元拠点ルータから切断要求を受信した場合、迂回元拠点ルータとのセッションを切断する。切断要求部２５０は、自拠点ルータ２が迂回先拠点ルータであり、かつ、データ通信を終了した場合に、センタルータ４へセッションの切断を要求する。帯域減少再接続部２５１は、センタ指示切断部２４７によってセンタルータ４とのセッションが切断されたのち、センタルータ４からの指示に従い、迂回元拠点ルータの使用帯域分減少した帯域のセッションをセンタルータ４との間で再確立する。
【００２４】
以下、各拠点の端末１内の機能ブロックを、拠点に対応した符号を付加することによって表す。例えば、拠点Ａの拠点ルータ２ａの記憶部２６を記憶部２６ａと記載し、拠点Ｂの拠点ルータ２ｂの記憶部２６を記憶部２６ｂと記載する。
【００２５】
次にセンタ通信装置としてのセンタルータ４及び管理サーバ５の構成について説明する。
図３は、センタルータ４の内部構成を示す機能ブロック図である。同図において、センタルータ４は、通信インタフェース部４２、セッション制御部４４、記憶部４６、及び、データ通信制御部４８を備えて構成される。
【００２６】
通信インタフェース部４２は、ネットワークＮを介したデータの送受信を行なう。セッション制御部４４は、ＳＩＰを用いたセッション制御を行なう。記憶部４６は、ＩＰｓｅｃに用いられるルーチング設定情報を記憶する。データ通信制御部４８は、記憶部４６に記憶されているルーチング設定情報を用いて、ＩＰｓｅｃによるデータ通信制御を行なうとともに、セッションの確立及び切断に伴って、記憶部４６に記憶されているルーチング設定情報を書き換える。
【００２７】
セッション制御部４４は、接続確立部４４１、帯域増加セッション確立部４４２、帯域減少セッション確立部４４３、再接続確立部４４４、及び、切断部４４５を備える。
接続確立部４４１は、管理サーバ５からの指示を受け、拠点ルータ２とのセッションを確立する。帯域増加セッション確立部４４２は、管理サーバ５からの指示を受け、迂回先拠点ルータとのセッションを一旦切断したのち、切断前の使用帯域と、迂回元拠点ルータが要求した使用帯域との合計帯域によって、迂回先拠点ルータとのセッションを再確立する。帯域減少セッション確立部４４３は、管理サーバ５からの指示を受け、迂回先拠点ルータとのセッションを一旦切断したのち、切断前の使用帯域から、迂回元拠点ルータの使用帯域を減算した帯域によって、迂回先拠点ルータとのセッションを再確立する。再接続確立部４４４は、迂回先拠点ルータとのセッションを切断した迂回元拠点ルータとのセッションを確立する。切断部４４５は、迂回先拠点ルータから切断要求を受け、セッションを切断する。
【００２８】
図４は、管理サーバ５の内部構成を示す機能ブロック図である。同図において、管理サーバ５は、通信インタフェース部５２、セッション指示部５４、及び、記憶部５６を備えて構成される。
【００２９】
通信インタフェース部５２は、ネットワークＮを介したデータの送受信を行なう。セッション指示部５４は、センタルータ４や拠点ルータ２へセッション制御を指示する。記憶部５６は、各拠点に割当てられている上限の使用帯域、センタと各拠点間で現在確立されているセッション数、現在確立されているセッションそれぞれの使用帯域、各セッションの使用帯域のうち迂回元の拠点及び迂回先の拠点の使用帯域、各拠点間の距離、ならびに、使用帯域に応じた料金の情報を記憶している。
【００３０】
セッション指示部５４は、接続指示部５４１、接続先選択部５４２、再接続指示部５４３、セッション管理部５４４、及び、迂回先切断指示部５４５を備える。
接続指示部５４１は、拠点ルータ２から接続要求を受信し、現在センタルータ４が確立しているセッション数が上限を超えていなければ接続要求送信元の拠点ルータ２への接続指示をセンタルータ４に送信し、越えていれば迂回先拠点ルータのアドレスを接続要求送信元の拠点ルータ２へ送信する。接続先選択部５４２は、記憶部５６に記憶されている情報から得られる空き帯域、拠点間の距離、使用帯域に応じた料金に基づいて迂回先拠点ルータを選択する。再接続指示部５４３は、各セッションの使用帯域変更のため、センタルータ４へ再接続を指示する。セッション管理部５４４は、各拠点の拠点ルータ２との間で確立されているセッションと、その使用帯域を管理する。迂回先切断指示部５４５は、迂回先拠点ルータがセンタルータ４とのセッションを切断した旨の通知を受信し、迂回元拠点ルータへ迂回先拠点ルータとの切断を指示する。
【００３１】
図５は、拠点ルータ２の記憶部２６、センタルータ４の記憶部４６に記憶されるルーチング設定情報の構成例を示す図である。
本実施の形態において、拠点ルータ２とセンタルータ４の間、異なる拠点の拠点ルータ２間における送信データには、ＩＰｓｅｃが適用される。ＩＰｓｅｃでは、ＩＰパケットをカプセル化し、このカプセル化されたＩＰパケットに新たなＩＰヘッダを付加する。以下では、カプセル化されたＩＰパケットにＩＰヘッダを付加して生成したＩＰパケットを「ＩＰｓｅｃパケット」と記載する。一般的には、ＩＰｓｅｃパケットにカプセル化されるＩＰパケットは暗号化されるため、ＩＰｓｅｃパケットからカプセル化を解除してＩＰパケットを取得するデカプセル化を行う際には、復号が行われる。この暗号化と復号に用いられる鍵は、ＩＰｓｅｃトンネルが確立されているノード間の通信によって生成、更新される。
【００３２】
同図に示すように、ルーチング設定情報は、ＩＰｓｅｃパケット、つまり、送信データの宛先ＩＰアドレス、及び、差出ＩＰアドレスと、ＩＰｓｅｃパケットにカプセル化されるＩＰパケットの送信先ローカルアドレス、及び、送信元ローカルアドレスと、ＩＰｓｅｃ識別子とを対応付けたレコードからなる。
本実施の形態において、ＩＰｓｅｃパケット内にカプセル化される対象は、端末１とサービス提供サーバ６との間で送受信されるデータを設定したＩＰパケットである。よって、カプセル化されたＩＰパケットの送信先・送信元アドレスには、端末１のローカルアドレスやサービス提供サーバ６のローカルアドレスが設定される。一方、ＩＰｓｅｃパケットに設定される宛先ＩＰアドレス、差出ＩＰアドレスには、ＩＰｓｅｃトンネルを確立している拠点ルータ２やセンタルータ４のＮＧＮ  ＩＰアドレスとなる。
なお、送信元ローカルアドレスについては省略してもよい。この場合、カプセル化対象のＩＰパケットの送信先ローカルアドレスのみによって、ＩＰｓｅｃ対象であるか否かを判断する。
【００３３】
図６は、管理サーバ５の記憶部５６に記憶される接続拠点管理テーブルの構成例を示す図である。
同図において、接続拠点管理テーブルの各レコードはそれぞれ１つのセッションに対応しており、接続拠点管理テーブルのレコード数が、管理サーバ５において管理している現在接続中のセッションの数を表す。接続拠点管理テーブルの各レコードは、現在確立されているセッションの接続元、接続先、及び、接続元を迂回先としてセッションを確立している迂回元を示す迂回接続接続元と、該セッションの上限の使用帯域を示す上限帯域と、接続元が要求した使用帯域である接続帯域と、迂回接続接続元が要求した使用帯域である迂回接続帯域と、該セッションの合計接続帯域とを対応づけた情報からなる。なお、複数の迂回元が１つの迂回先を迂回する可能性があるため、迂回接続接続元及び迂回接続帯域の組は複数含まれ、迂回接続接続元（ｉ）が要求した使用帯域が迂回接続帯域（ｉ）である（ｉは１以上の整数）。
同図の最初のレコードでは、接続元が「拠点Ａ」の拠点ルータ２ａであり、接続先が「センタ」のセンタルータ４であるセッションについては、データ通信の上限帯域が「１５[Mbps]」であること、接続元の拠点ルータ２ａから接続帯域「１０[Mbps]」が要求されてセッションが確立され、現在は合計接続帯域「１０[Mbps]」を使用していることを示している。また、迂回接続接続元及び迂回接続帯域が設定されておらず、現在接続元「拠点Ａ」の拠点ルータ２ａを迂回先として接続している他の拠点ルータ２はないことを示している。
【００３４】
図７は、管理サーバ５の記憶部５６に記憶される料金管理テーブルの構成例を示す図である。同図に示すように、料金管理テーブルは、データ通信の使用帯域と料金とを対応づけたレコードからなる。
【００３５】
図８は、管理サーバ５の記憶部５６に記憶される拠点間距離管理テーブルの構成例を示す図である。拠点間距離管理テーブルは、各拠点間の距離を示すテーブルである。同図においては、拠点Ａ〜拠点Ｃがある場合について示しており、距離の単位については省略している。
【００３６】
次に、トラヒック迂回システムの動作について説明する。
ここでは、迂回先拠点ルータを拠点Ａの拠点ルータ２、迂回元拠点ルータを拠点Ｂの拠点ルータ２である場合を例として説明する。
また、サービスセンタのセンタルータ４のＮＧＮ  ＩＰアドレスを「１．１．１．１」、管理サーバ５のＮＧＮ  ＩＰアドレスを「１．１．１．２」、サービス提供サーバ６のローカルアドレスを「１０．１．１．１」とし、拠点Ａの端末１ａのローカルアドレスを「１０．１．３．１」、拠点ルータ２ａのＮＧＮ  ＩＰアドレスを「１．１．１．３」とし、拠点Ｂの端末１ｂのローカルアドレスを「１０．１．４．１」、拠点ルータ２ｂのＮＧＮ  ＩＰアドレスを「１．１．１．４」とする。
【００３７】
なお、信号名に付加して対応するＳＩＰメッセージ名を［］内に記載する。ただし、標準に規定されていない独自のＳＩＰメッセージの場合、［独自メッセージ］と記載する。また、ＳＩＰセッションに関するパラメータを（ＳＩＰ用）と記載し、データ通信に関するパラメータを（データ通信用）と記載する。
なお、ＳＩＰの［２００ＯＫ］メッセージは、要求に対する処理が成功した旨の応答であり、要求の種類を問わず、処理成功時に返送される。
【００３８】
図９及び図１０は、迂回制御シーケンスを示す図である。
まず図９において、拠点Ａの拠点ルータ２ａが端末１ａからの接続要求を受信したり、拠点ルータ２ａにセッションの確立を指示するコマンドが入力されたりした場合、接続要求部２４１ａは、サービスセンタの回線番号を宛先として接続要求［独自メッセージ］を送信する（ステップＳ１１０）。接続要求には、拠点Ａの回線番号（ＳＩＰ用）、拠点Ａの通信種別（ＳＩＰ用）、拠点Ａの使用帯域（ＳＩＰ用）が設定される。接続要求は、ＳＩＰのＩＮＶＩＴＥメッセージと同様のパラメータを用いることができるため、拠点ルータ２ａのＮＧＮ  アドレス（データ通信用）、拠点ルータ２ａの通信種別（データ通信用）が設定されうる。ＳＩＰサーバ３は、接続要求の宛先に設定されているサービスセンタの回線番号を管理サーバ５の実ＩＰアドレスに変換して送信する（ステップＳ１１５）。
【００３９】
管理サーバ５の接続指示部５４１は、記憶部５６に記憶されている接続拠点管理テーブル内のレコード数を各拠点との現在のセッション確立数として取得し、現在のセッション確立数に１を加算したセッション数がセンタ回線について予め決められた上限以下である場合、接続可能と判断する。接続可能と判断した場合、接続指示部５４１は、センタルータ４へ拠点Ａとの接続指示を送信する（ステップＳ１２０）。この接続指示には、ステップＳ１１５において受信した接続要求に設定されている拠点Ａの回線番号、通信種別、及び、使用帯域が設定される。
【００４０】
センタルータ４の接続確立部４４１は、管理サーバ５から拠点Ａとの接続指示を受信すると、拠点Ａの回線番号を宛先として呼接続要求［ＩＮＶＩＴＥ］を送信する（ステップＳ１２５）。呼接続要求には、サービスセンタの回線番号（ＳＩＰ用）、拠点Ａの通信種別（ＳＩＰ用）、拠点Ａの使用帯域（ＳＩＰ用）、センタルータ４のＮＧＮ  ＩＰアドレス（データ通信用）、及び、センタルータ４の通信種別（データ通信用）が設定される。拠点Ａの回線番号、通信種別、及び、使用帯域は、管理サーバ５から受信した拠点Ａとの接続指示から取得する。ＳＩＰサーバ３は、呼接続要求の宛先に設定されている拠点Ａの回線番号を拠点ルータ２ａのＮＧＮ  ＩＰアドレスに変換して送信する（ステップＳ１３０）。
【００４１】
なお、ＳＩＰサーバ３は、全てのＳＩＰメッセージについて、ＳＩＰメッセージに設定されている宛先の回線番号を実アドレスであるＮＧＮ  ＩＰアドレスに変換して中継するが、以降この中継手順についてはシーケンス図中のみに示し、記載を省略する。ＳＩＰサーバ３は、拠点Ａの回線番号を拠点ルータ２ａのＮＧＮ  ＩＰアドレスに、拠点Ｂの回線番号を拠点ルータ２ｂのＮＧＮ  ＩＰアドレスに変換する。また、サービスセンタの回線番号はセンタルータ４のＮＧＮ  ＩＰアドレスに変換するが、独自メッセージの場合は管理サーバ５のＮＧＮ  ＩＰアドレスに変換する。
【００４２】
拠点ルータ２ａの接続要求部２４１ａは、センタルータ４からの呼接続要求を受信すると、サービスセンタの回線番号を宛先として接続応答［２００ＯＫ］を返送する（ステップＳ１３５、Ｓ１４０）。接続応答には、拠点ルータ２ａのＮＧＮ  ＩＰアドレス（データ通信用）、及び、拠点ルータ２ａの通信種別（データ通信用）が設定される。センタルータ４の接続確立部４４１は、拠点ルータ２ａからの接続応答を受信し、受信確認［ＡＣＫ］を返送する（ステップＳ１４５、Ｓ１５０）。
【００４３】
拠点ルータ２ａの接続要求部２４１ａがセンタルータ４からの受信確認を受信すると、拠点ルータ２ａとセンタルータ４の間でＩＰｓｅｃトンネルを確立する（ステップＳ１５５）。拠点ルータ２ａのデータ通信制御部２８ａは、センタルータ４のデータ通信制御部４８との間で、ＩＰｓｅｃの標準のプロトコルに従って、利用する暗号／認証アルゴリズム等のパラメータの調整を行う。これにより、拠点ルータ２ａのデータ通信制御部２８ａは、予め記憶しているか、端末１ａから受信した接続要求より取得した端末１ａのローカルアドレスをセンタルータ４に送信し、センタルータ４のデータ通信制御部４８は、予め記憶しているサービス提供サーバ６のローカルアドレスを拠点ルータ２ａに送信する。拠点ルータ２ａのデータ通信制御部２８ａは、記憶部２６ａのルーチング設定情報を、センタルータ４のデータ通信制御部４８は、記憶部４６のルーチング設定情報を更新する。
【００４４】
図１３は、ステップＳ１５５におけるルーチング設定情報の設定内容を示す図である。図１３（ａ）は、拠点ルータ２ａに記憶されるルーチング設定情報の設定内容を、図１３（ｂ）は、センタルータ４に記憶されるルーチング設定情報の設定内容を示す。
図１３（ａ）に示すように、拠点ルータ２ａのデータ通信制御部２８ａは、ルーチング設定情報にレコードを追加すると、送信データの宛先ＩＰアドレスにステップＳ１３０において受信した呼接続要求から取得したセンタルータ４のＮＧＮ  ＩＰアドレス「１．１．１．１」を、送信データの差出ＩＰアドレスにステップＳ１３５において送信した接続応答に設定した拠点ルータ２ａのＮＧＮ  ＩＰアドレス「１．１．１．３」を、送信先ローカルアドレスにセンタルータ４のデータ通信制御部４８から受信したサービス提供サーバ６のローカルアドレス「１０．１．１．１」を、送信元ローカルアドレスに端末１ａのローカルアドレス「１０．１．３．１」を設定する。また、ＩＰｓｅｃ識別子に、割当てた「１００」を設定する。
一方、図１３（ｂ）に示すように、センタルータ４のデータ通信制御部４８は、ルーチング設定情報にレコードを追加すると、送信データの宛先ＩＰアドレスにステップＳ１４０において受信した接続応答から取得した拠点ルータ２ａのＮＧＮ  ＩＰアドレス「１．１．１．３」を、送信データの差出ＩＰアドレスにステップＳ１２５において送信した呼接続要求に設定したセンタルータ４のＮＧＮ  ＩＰアドレス「１．１．１．１」を、送信先ローカルアドレスに拠点ルータ２ａデータ通信制御部２８ａから受信した端末１ａのローカルアドレス「１０．１．３．１」を、送信元ローカルアドレスにサービス提供サーバ６のローカルアドレス「１０．１．１．１」を設定する。また、ＩＰｓｅｃ識別子に、割当てた「１００」を設定する。
【００４５】
また、図９において、センタルータ４の接続確立部４４１は、拠点Ａとの接続完了通知を管理サーバ５に送信する（ステップＳ１６０）。管理サーバ５のセッション管理部５４４は、拠点Ａとの接続完了通知を受信すると、接続拠点管理テーブルを更新する。更新後の接続拠点管理テーブルの設定内容は図６に示したものとなる。具体的には、まず、管理サーバ５のセッション管理部５４４は、記憶部５６から拠点Ａの上限の接続帯域を読み出すとともに、記憶部５６に記憶されている接続拠点管理テーブルにレコードを追加する。そして、追加したレコードに、接続元「拠点Ａ」、接続先「センタ」を書き込み、さらに、上限帯域に記憶部５６から読み出した拠点Ａの上限の使用帯域「１５[Mbps]」を、接続帯域及び合計帯域にステップＳ１２０において送信した拠点Ａとの接続指示に設定した使用帯域「１０[Mbps]」を書き込む。
【００４６】
図９において、端末１ａとサービス提供サーバ６との間では、ステップＳ１５５において確立されたＩＰｓｅｃトンネルを利用したデータ通信を行う（ステップＳ１６５）。つまり、端末１ａは、宛先ＩＰアドレスにサービス提供サーバ６のローカルＩＰアドレス「１０．１．１．１」を、差出ＩＰアドレスに端末１ａのＩＰアドレス「１０．１．３．１」を設定した送信データを送信する。拠点ルータ２ａのデータ通信制御部２８ａは、記憶部２６ａに記憶されているルーチング設定情報を検索し、送信先ローカルアドレス及び送信元ローカルアドレス欄の情報が、端末１ａから受信した送信データに設定されている宛先ＩＰアドレス及び差出ＩＰアドレスと一致するレコードを検出する。データ通信制御部２８ａは、受信した送信データを、検出したレコードにおける送信データの宛先ＩＰアドレス及び送信データの差出ＩＰアドレスに基づいてＩＰｓｅｃパケットにカプセル化し、検出したルーチング設定情報のレコードから読み出した宛先ＩＰアドレス及び差出ＩＰアドレス、ならびに、ＩＰｓｅｃ識別子を付加して送信する。これによって、宛先ＩＰアドレスにセンタルータ４のＮＧＮ  ＩＰアドレス「１．１．１．１」が、差出ＩＰアドレスに拠点ルータ２ａのＮＧＮ  ＩＰアドレス「１．１．１．３」が、ＩＰｓｅｃ識別子に「１００」が設定され、センタルータ４へ送信される。センタルータ４のデータ通信制御部４８は、受信したＩＰｓｅｃパケットから送信データをデカプセル化して送信する。これにより、送信データがサービス提供サーバ６にルーチングされる。
【００４７】
一方、サービス提供サーバ６は、宛先ＩＰアドレスに端末１ａのローカルＩＰアドレス「１０．１．３．１」を、差出ＩＰアドレスにサービス提供サーバ６のＩＰアドレス「１０．１．１．１」を設定した送信データを送信する。センタルータ４のデータ通信制御部４８は、記憶部４６に記憶されているルーチング設定情報を検索し、送信先ローカルアドレス及び送信元ローカルアドレス欄の情報が、サービス提供サーバ６から受信した送信データに設定されている宛先ＩＰアドレス及び差出ＩＰアドレスと一致するレコードを検出する。データ通信制御部４８は、受信した送信データを、検出したレコードにおける送信データの宛先ＩＰアドレス及び送信データの差出ＩＰアドレスに基づいてＩＰｓｅｃパケットにカプセル化し、検出したルーチング設定情報のレコードから読み出した宛先ＩＰアドレス及び差出ＩＰアドレス、ならびに、ＩＰｓｅｃ識別子を付加して送信する。これによって、宛先ＩＰアドレスに拠点ルータ２ａのＮＧＮ  ＩＰアドレス「１．１．１．３」が、差出ＩＰアドレスにセンタルータ４のＮＧＮ  ＩＰアドレス「１．１．１．１」が、ＩＰｓｅｃ識別子に「１００」が設定され、拠点ルータ２ａへ送信される。拠点ルータ２ａのデータ通信制御部２８ａは、受信したＩＰｓｅｃパケットから送信データをデカプセル化して送信する。これにより、送信データが端末１ａにルーチングされる。
【００４８】
図１０において、図９に記載の手順によって確立されたセッションを用いて拠点Ａの端末１ａとサービスセンタのサービス提供サーバ６との間でデータ通信が行われている（ステップＳ２１０）。このとき、拠点Ｂの拠点ルータ２ｂにおいて、端末１ｂからの接続要求を受信したり、センタルータ４とのセッションの確立を指示するコマンドが入力されたりした場合、接続要求部２４１ｂは、サービスセンタの回線番号を宛先として接続要求［独自メッセージ］を送信する（ステップＳ２１５、Ｓ２２０）。接続要求には、拠点Ｂの回線番号（ＳＩＰ用）、拠点Ｂの通信種別（ＳＩＰ用）、拠点Ｂの使用帯域（ＳＩＰ用）、拠点ルータ２ｂのＮＧＮアドレス（データ通信用）及び、拠点ルータ２ｂの通信種別（データ通信用）が設定される。
【００４９】
管理サーバ５の接続指示部５４１は、拠点ルータ２ｂからの接続要求を受信すると、記憶部５６に記憶されている接続拠点管理テーブル内のレコード数を各拠点との現在のセッション確立数として取得し、現在のセッション確立数に１を加算したセッション数がセンタ回線について予め決められた上限を超えている場合、迂回が必要であると判断する。接続指示部５４１によって迂回が必要と判断された場合、接続先選択部５４２は、記憶部５６に記憶されている接続拠点管理テーブルを参照し、接続帯域が０ではない拠点、すなわち、現在セッション確立中の拠点を迂回先の拠点として決定する。接続帯域が０ではない拠点が複数ある場合、接続先選択部５４２は、特定した拠点の中から１つを選択する。選択の手順については後述するが、拠点Ａが迂回先として選択された場合を例に説明する（ステップＳ２２５）。
【００５０】
管理サーバ５の接続指示部５４１は、接続先選択部５４２が選択した迂回先拠点である拠点Ａへの迂回を指示する接続要求応答［独自メッセージ］を拠点Ｂの回線番号を宛先として返送する（ステップＳ２３０、Ｓ２３５）。接続要求応答には、拠点Ａの回線番号（ＳＩＰ用）が設定される。
【００５１】
拠点ルータ２ｂの接続要求部２４１ｂは、管理サーバ５からの接続要求応答を受信すると、接続要求応答に設定されている拠点Ａの回線番号を宛先として呼接続要求［ＩＮＶＩＴＥ］を送信する（ステップＳ２４０、Ｓ２４５）。呼接続要求には、拠点Ｂの回線番号（ＳＩＰ用）、拠点Ｂの通信種別（ＳＩＰ用）、拠点Ｂの使用帯域（ＳＩＰ用）、拠点ルータ２ｂのＮＧＮ  ＩＰアドレス（データ通信用）、及び、拠点ルータ２ｂの通信種別（データ通信用）が設定される。使用帯域は、ステップＳ２１５において送信した接続要求内の使用帯域と同じである。
【００５２】
拠点ルータ２ａの迂回セッション確立部２４６ａは、拠点ルータ２ｂからの呼接続要求を受信すると、接続応答［２００ＯＫ］を拠点Ｂの回線番号を宛先として返送する（ステップＳ２５０、Ｓ２５５）。接続応答には、拠点ルータ２ａのＮＧＮ  ＩＰアドレス（データ通信用）、及び、拠点ルータ２ａの通信種別（データ通信用）が設定される。拠点ルータ２ｂの接続要求部２４１ｂは、接続応答を受信すると、受信確認［ＡＣＫ］を返送する（ステップＳ２６０、Ｓ２６５）。
【００５３】
一方、管理サーバ５の再接続指示部５４３は、センタルータ４へ拠点Ａとの再接続指示を送信する（ステップＳ２８０）。なお、ステップＳ２３０の接続要求の送信と、ステップＳ２８０の再接続指示の送信は、非同期により行なわれる。ステップＳ２８０において送信された再接続指示には、迂回先接続拠点として選択された拠点Ａの回線番号、通信種別、及び、使用帯域、ならびに、拠点Ｂの回線番号が設定される。使用帯域は、接続元「拠点Ａ」、接続先「センタ」が設定されている接続拠点管理テーブル（図６）のレコードから読み出した接続帯域と、ステップＳ２２０において拠点Ｂの拠点ルータ２ｂから受信した接続要求に設定されている使用帯域とを加算した帯域である。同時に、セッション管理部５４４は、拠点Ａとの再接続のために、拠点Ａとの接続完了通知を受信するまでセッションの予約を行なう。これは、拠点Ａとの再接続手順においては、まず、拠点Ａとのセッションを一時的に切断した（後述するステップＳ２８５〜Ｓ３００）後に、拠点Ａとの再接続指示によって指示した使用帯域によるセッション確立を行なうが、セッションが一時切断されている間に、意図しない他の拠点の拠点ルータ２から接続要求を受信しても接続を許可しないようにするためである。そこで、セッションの一時的な切断の間も、接続拠点管理テーブルから拠点Ａが接続元となっているレコードは削除せず、セッション確立数を維持する。なお、セッションの予約が行なわれている間に管理サーバ５が他の拠点の拠点ルータ２から接続要求を受信した場合、接続指示部５４１は［４００Ｅｒｒｏｒ］などを返送する。
【００５４】
センタルータ４の帯域増加セッション確立部４４２は、管理サーバ５から拠点Ａとの再接続指示を受信すると、拠点Ａの回線番号を宛先として切断要求［ＢＹＥ］を送信する（ステップＳ２８５、Ｓ２９０）。切断要求には、独自パラメータとして、迂回元の拠点Ｂの回線番号が設定される。拠点ルータ２ａのセンタ指示切断部２４７ａは、センタルータ４から切断要求を受信すると、切断応答［２００ＯＫ］を返送する（ステップＳ２９５、Ｓ３００）。
【００５５】
センタルータ４の帯域増加セッション確立部４４２は、拠点ルータ２ａからの切断応答を受信すると、拠点Ａの回線番号を宛先として呼接続要求［ＩＮＶＩＴＥ］を送信する（ステップ３０５、Ｓ３１０）。呼接続要求には、サービスセンタの回線番号（ＳＩＰ用）、サービスセンタの通信種別（ＳＩＰ用）、サービスセンタの使用帯域（ＳＩＰ用）、センタルータ４のＮＧＮ  ＩＰアドレス（データ通信用）、及び、センタルータ４の通信種別（データ通信用）が設定される。サービスセンタの使用帯域は、ステップＳ２８０において管理サーバ５から受信した拠点Ａとの再接続指示に設定されている使用帯域とする。
【００５６】
拠点ルータ２ａの帯域増加再接続部２４８ａは、センタルータ４からの呼接続要求を受信すると、接続応答［２００ＯＫ］を返送する（ステップＳ３１５、Ｓ３２０）。接続応答には、拠点ルータ２ａのＮＧＮ  ＩＰアドレス（データ通信用）及び拠点ルータ２ａの通信種別（データ通信用）が設定される。センタルータ４の帯域増加セッション確立部４４２は、拠点ルータ２ａから接続応答を受信すると、受信確認［ＡＣＫ］を返送する（ステップＳ３２５、Ｓ３３０）。
【００５７】
拠点ルータ２ａの帯域増加再接続部２４８ａがセンタルータ４からの受信確認を受信すると、ＩＰｓｅｃの標準のプロトコルに従って、拠点ルータ２ａとセンタルータ４の間でＩＰｓｅｃトンネルを確立する（ステップＳ３３５）。また、拠点ルータ２ａの迂回セッション確立部２４６ａは、拠点ルータ２ａと拠点ルータ２ｂの間で、ＩＰｓｅｃの標準のプロトコルに従って、ＩＰｓｅｃトンネルを確立する（ステップＳ３４０）。
【００５８】
センタルータ４のデータ通信制御部４８は、サービス提供サーバ６のローカルアドレスを拠点ルータ２ａに送信し、拠点ルータ２ｂのデータ通信制御部２８ｂは、端末１ｂのローカルアドレスを拠点ルータ２ａに送信する。拠点ルータ２ａの迂回セッション確立部２４６ａは、ステップＳ２９０において受信した切断要求に設定される迂回元の回線番号から、拠点ルータ２ｂが迂回元の拠点であることを判断している。そこで、拠点ルータ２ａのデータ通信制御部２８ａは、センタルータ４から受信したサービス提供サーバ６のローカルアドレスを迂回元の拠点ルータ２ｂに送信し、拠点ルータ２ｂから受信した端末１ｂのローカルアドレスをセンタルータ４へ送信する。これにより、拠点ルータ２ａのデータ通信制御部２８ａは、記憶部２６ａのルーチング設定情報を、拠点ルータ２ｂのデータ通信制御部２８ｂは、記憶部２６ｂのルーチング設定情報を、センタルータ４のデータ通信制御部４８は、記憶部４６のルーチング設定情報を更新する。
【００５９】
図１４は、ステップＳ３３５、Ｓ３４０において設定されるルーチング設定情報の設定内容を示す図である。図１４（ａ）は、拠点ルータ２ａに記憶されるルーチング設定情報の設定内容を、図１４（ｂ）は、センタルータ４に記憶されるルーチング設定情報の設定内容を、図１４（ｃ）は、拠点ルータ２ｂに記憶されるルーチング設定情報の設定内容を示す。
図１４（ａ）に示すように、図１３（ａ）に示す拠点ルータ２ａのルーチング設定情報に、迂回のためのレコードが追加される。具体的には、図１３（ａ）に示すレコードのうち、送信元ローカルアドレス以外の内容をコピーしたレコードを追加し、送信元ローカルアドレスには、拠点ルータ２ｂのデータ通信制御部２８ｂから受信した端末１ｂのローカルアドレス「１０．１．４．１」を設定する。
さらに、拠点ルータ２ａのデータ通信制御部２８ａは、この追加したレコードの送信先ローカルアドレスと送信元ローカルアドレスを入れ替え、さらに、送信データの宛先ＩＰアドレスと送信データの差出ＩＰアドレスを入れ替えたレコードをさらに追加し、ＩＰｓｅｃ識別子に割当てた「２００」を設定する。
【００６０】
また、図１４（ｂ）に示すように、図１３（ｂ）に示すセンタルータ４のルーチング設定情報には、拠点Ｂの端末１ｂとサービス提供サーバ６間のデータ通信のためのレコードが追加される。具体的には、センタルータ４のデータ通信制御部４８は、ルーチング設定情報にレコードを追加すると、送信データの宛先ＩＰアドレスにステップＳ３２０において受信した接続応答から取得した拠点ルータ２ａのＮＧＮ  ＩＰアドレス「１．１．１．３」を、送信データの差出ＩＰアドレスにステップＳ３０５において送信した呼接続要求に設定したセンタルータ４のＮＧＮ  ＩＰアドレス「１．１．１．１」を、送信先ローカルアドレスに拠点ルータ２ａから受信した端末１ｂのローカルアドレス「１０．１．４．１」を、送信元ローカルアドレスにサービス提供サーバ６のローカルアドレス「１０．１．１．１」を設定する。また、ＩＰｓｅｃ識別子に、拠点ＡとのＩＰｓｅｃトンネルに割当てた「１００」を設定する。
【００６１】
一方、拠点ルータ２ｂのデータ通信制御部２８ｂにおいても、ルーチング設定情報に新しいレコードを追加する。そして、図１４（ｃ）に示すように、送信データの宛先ＩＰアドレスにステップＳ２５５において受信した接続応答から取得した拠点ルータ２ａのＮＧＮ  ＩＰアドレス「１．１．１．３」を、送信データの差出ＩＰアドレスにステップＳ２４０において送信した接続要求に設定した拠点ルータ２ｂのＮＧＮ  ＩＰアドレス「１．１．１．４」を、送信先ローカルアドレスに拠点ルータ２ａのデータ通信制御部２８ａから受信したサービス提供サーバ６のローカルアドレス「１０．１．１．１」を、送信元ローカルアドレスに端末１ｂのローカルアドレス「１０．１．４．１」を設定する。また、ＩＰｓｅｃ識別子に拠点ＡとのＩＰｓｅｃトンネルに割当てた「２００」を設定する。
【００６２】
また、図１０において、センタルータ４の帯域増加セッション確立部４４２は、拠点Ａとの接続完了通知を管理サーバ５に送信する（ステップＳ３４５）。管理サーバ５のセッション管理部５４４は、拠点Ａとの接続完了通知を受信すると、接続拠点管理テーブルを更新する。図１５は、更新後の接続拠点管理テーブルの設定内容を示す図である。セッション管理部５４４は、接続元「拠点Ａ」、接続先「センタ」が設定されている接続拠点管理テーブルを特定し、特定したレコードの迂回接続接続元（１）に「拠点Ｂ」を、迂回接続帯域（１）にステップＳ２２０において拠点Ｂの拠点ルータ２ｂから受信した接続要求に設定されている使用帯域「２[Mbps]」を書き込む。さらに、セッション管理部５４４は、特定したレコードの合計接続帯域を、ステップＳ２８０において送信した拠点Ａとの接続指示に設定した使用帯域、すなわち、現在の合計接続帯域「１０[Mbps]」に拠点Ｂの迂回接続帯域（迂回接続帯域（１））「２[Mbps]」を加算した合計の帯域「１２[Mbps]」に書き換える。
【００６３】
上記手順により、拠点ルータ２ａとセンタルータ４の間でＩＰｓｅｃトンネルが再確立され、端末１ａとサービス提供サーバ６との間、及び、端末１ｂとサービス提供サーバ６との間でデータ通信が行われる（ステップＳ３５０、Ｓ３５５）。
端末１ａとサービス提供サーバ６との間のデータ通信は、図９のステップＳ１６５と同様に行われる。
【００６４】
一方、端末１ｂとサービス提供サーバ６との間のデータ通信は、以下のように行われる。すなわち、端末１ｂは、宛先ＩＰアドレスにサービス提供サーバ６のローカルＩＰアドレス「１０．１．１．１」を、差出ＩＰアドレスに端末１ｂのＩＰアドレス「１０．１．４．１」を設定した送信データを送信する。拠点ルータ２ｂのデータ通信制御部２８ｂは、記憶部２６ｂに記憶されているルーチング設定情報を検索し、送信先ローカルアドレス及び送信元ローカルアドレス欄の情報が、端末１ｂから受信した送信データに設定されている宛先ＩＰアドレス及び差出ＩＰアドレスと一致するレコードを検出する。データ通信制御部２８ｂは、受信した送信データを、検出したレコードにおける送信データの宛先ＩＰアドレス及び送信データの差出ＩＰアドレスに基づいてＩＰｓｅｃパケットにカプセル化し、検出したルーチング設定情報のレコードから読み出した宛先ＩＰアドレス及び差出ＩＰアドレスを付加して送信する。これによって、送信データをカプセル化したＩＰｓｅｃパケットに、宛先ＩＰアドレスとして拠点ルータ２ａのＮＧＮ  ＩＰアドレス「１．１．１．３」が、差出ＩＰアドレスとして拠点ルータ２ｂのＮＧＮ  ＩＰアドレス「１．１．１．４」、ＩＰｓｅｃ識別子に「２００」が設定され、拠点ルータ２ａへ送信される。
【００６５】
拠点ルータ２ａのデータ通信制御部２８ａは、端末１ｂから受信したＩＰｓｅｃパケットにカプセル化されている送信データをデカプセル化する。データ通信制御部２８ａは、記憶部２６ａに記憶されているルーチング設定情報を検索し、送信先ローカルアドレス及び送信元ローカルアドレス欄の情報が、デカプセル化した送信データに設定されている宛先ＩＰアドレス及び差出ＩＰアドレスと一致するレコードを検出する。データ通信制御部２８ａは、受信した送信データを、検出したレコードにおける送信データの宛先ＩＰアドレス及び送信データの差出ＩＰアドレスに基づいてＩＰｓｅｃパケットにカプセル化し、検出したルーチング設定情報のレコードから読み出した宛先ＩＰアドレス及び差出ＩＰアドレス、ならびに、ＩＰｓｅｃ識別子を付加して送信する。これによって、宛先ＩＰアドレスにセンタルータ４のＮＧＮ  ＩＰアドレス「１．１．１．１」が、差出ＩＰアドレスに拠点ルータ２ａのＮＧＮ  ＩＰアドレス「１．１．１．３」が、ＩＰｓｅｃ識別子に「１００」が設定されて送信される。
センタルータ４のデータ通信制御部４８は、受信したＩＰｓｅｃパケットから送信データをデカプセル化して送信する。これにより、送信データがサービス提供サーバ６にルーチングされる。
【００６６】
また、サービス提供サーバ６は、宛先ＩＰアドレスに端末１ｂのローカルＩＰアドレス「１０．１．１．４」を、差出ＩＰアドレスにサービス提供サーバ６のＩＰアドレス「１０．１．１．１」を設定した送信データを送信する。センタルータ４のデータ通信制御部４８は、記憶部４６に記憶されているルーチング設定情報を検索し、送信先ローカルアドレス及び送信元ローカルアドレス欄の情報が、サービス提供サーバ６から受信した送信データに設定されている宛先ＩＰアドレス及び差出ＩＰアドレスと一致するレコードを検出する。データ通信制御部４８は、受信した送信データを、検出したレコードにおける送信データの宛先ＩＰアドレス及び送信データの差出ＩＰアドレスに基づいてＩＰｓｅｃパケットにカプセル化し、検出したルーチング設定情報のレコードから読み出した宛先ＩＰアドレス及び差出ＩＰアドレス、ならびに、ＩＰｓｅｃ識別子を付加して送信する。これによって、宛先ＩＰアドレスに拠点ルータ２ａのＮＧＮ  ＩＰアドレス「１．１．１．３」が、差出ＩＰアドレスにセンタルータ４のＮＧＮ  ＩＰアドレス「１．１．１．１」が、ＩＰｓｅｃ識別子に「１００」が設定されて送信される。
【００６７】
拠点ルータ２ａのデータ通信制御部２８ａは、センタルータ４から受信したＩＰｓｅｃパケットにカプセル化されている送信データをデカプセル化する。データ通信制御部２８ａは、記憶部２６ａに記憶されているルーチング設定情報を検索し、送信先ローカルアドレス及び送信元ローカルアドレス欄の情報が、デカプセル化した送信データに設定されている宛先ＩＰアドレス及び差出ＩＰアドレスと一致するレコードを検出する。データ通信制御部２８ａは、受信した送信データを、検出したレコードにおける送信データの宛先ＩＰアドレス及び送信データの差出ＩＰアドレスに基づいてＩＰｓｅｃパケットにカプセル化し、検出したルーチング設定情報のレコードから読み出した宛先ＩＰアドレス及び差出ＩＰアドレス、ならびに、ＩＰｓｅｃ識別子を付加して送信する。これによって、宛先ＩＰアドレスに拠点ルータ２ｂのＮＧＮ  ＩＰアドレス「１．１．１．４」が、差出ＩＰアドレスに拠点ルータ２ａのＮＧＮ  ＩＰアドレス「１．１．１．３」が、ＩＰｓｅｃ識別子に「２００」が設定されて送信される。
拠点ルータ２ｂのデータ通信制御部２８ｂは、拠点ルータ２ａから受信したＩＰｓｅｃパケットにカプセル化されている送信データをデカプセル化して送信する。これにより、送信データが端末１ｂにルーチングされる。
【００６８】
続いて、ステップＳ２２５における拠点選択手順を説明する。
まず、管理サーバ５の接続先選択部５４２は、接続拠点管理テーブルを参照し、接続帯域が０ではない拠点を第１選択候補拠点として特定する。第１選択候補拠点が１つの場合、その第１選択候補拠点を迂回先の拠点として決定する。
【００６９】
第１選択拠点候補が複数の場合、接続先選択部５４２は、上限帯域から接続帯域を減算した空き帯域が、受信した接続要求に設定されている使用帯域以上の第１選択候補拠点を第２選択拠点候補として特定する。第２選択候補拠点がない場合、第１選択候補拠点の中から最も空き帯域が多い拠点を迂回先の拠点として選択する。
【００７０】
一方、第２選択候補拠点が１つの場合、接続先選択部５４２は、特定された第２選択候補拠点を迂回先の拠点として決定し、第２選択候補拠点が複数ある場合、第２選択候補拠点の中から以下の条件（１）、（２）によって迂回先の拠点として選択する。条件（１）、（２）の両方を用いるか、あるいは、一方を用いるか、条件（１）、（２）の両方を用いる場合にどちらを優先するかについては、任意に設定可能である。
【００７１】
（１）料金管理テーブルから、第２選択候補拠点の接続帯域と、迂回元拠点ルータから受信した接続要求に設定されている使用帯域とを加算した帯域に対応した料金を読み出し、読み出した料金が最も安い第２選択候補拠点を選択する。これにより、料金が最適になる迂回先拠点を選択することができる。
（２）拠点間距離管理テーブルから、第２選択候補拠点と、接続要求の送信元である迂回元拠点ルータが属する拠点との距離を読み出し、読み出した距離が最も近い第２選択候補拠点を選択する。これにより、遅延を少なくすとともに、ネットワークＮにおけるトラヒック増加を極力抑えることができる。
【００７２】
なお、迂回先の拠点の空き帯域が、受信した接続要求に設定されている使用帯域未満である場合、ステップＳ２３０において接続要求応答に空き帯域を設定する。この場合、接続要求応答を受信した拠点ルータ２は、接続要求応答に設定されている空き帯域を、迂回先の拠点ルータ２へ送信する呼接続要求の使用帯域に設定する。
【００７３】
図１１は、図９及び図１０の手順により、端末１ａとサービス提供サーバ６との間、及び、端末１ｂとサービス提供サーバ６との間でデータ通信が行われている際に、端末１ｂとサービス提供サーバ６との間の通信が終了した場合のシーケンスである。
拠点Ｂの拠点ルータ２ｂのデータ通信制御部２８ｂが、通信パケットを所定時間以上受信しない、あるいは、ＩＰｓｅｃの鍵更新がタイムアウトするなどして、端末１ｂとサービス提供サーバ６との間の通信終了を検出する（ステップＳ４１０）。これにより、拠点ルータ２ｂのデータ通信制御部２８ｂと、拠点ルータ２ａのデータ通信制御部２８ａの間で、ＩＰｓｅｃの標準のプロトコルに従って、ＩＰｓｅｃトンネルを終了する（ステップＳ４１５）。拠点ルータ２ａは、ルーチング設定情報から、拠点ルータ２ｂとのＩＰｓｅｃトンネルに関するレコードを削除し、拠点ルータ２ｂは、ルーチング設定情報から、拠点ルータ２ａとのＩＰｓｅｃトンネルに関するレコードを削除する。
【００７４】
続いて、拠点ルータ２ｂの迂回先切断要求部２４２は、切断要求［ＢＹＥ］を拠点Ａの回線番号を宛先として送信する（ステップＳ４２０、Ｓ４２５）。拠点ルータ２ａの迂回元切断部２４９ａは、拠点ルータ２ｂからの切断要求を受信すると、切断応答［２００ＯＫ］を返送する（ステップＳ４３０、Ｓ４３５）。これにより、拠点ルータ２ａと拠点ルータ２ｂの間のセッションが切断される。
【００７５】
拠点ルータ２ｂの迂回先切断通知部２４３ｂは、拠点ルータ２ａからの切断応答を受信すると、接続切断通知［独自メッセージ］をサービスセンタの回線番号を宛先として送信する（ステップＳ４４０、Ｓ４４５）。管理サーバ５の再接続指示部５４３は、拠点ルータ２ｂからの接続切断通知を受信すると、接続切断通知応答を返送し（ステップＳ４５０、Ｓ４５５）、さらに、拠点Ｂの迂回先接続拠点である拠点Ａとの再接続指示をセンタルータ４へ送信する（ステップＳ４６０）。この再接続指示には、拠点Ａの回線番号、通信種別、及び、使用帯域が設定される。設定する使用帯域は、接続元「拠点Ａ」、接続先「センタ」が設定されている接続拠点管理テーブル（図１５）のレコードから読み出した拠点Ａの接続帯域から、迂回接続接続元「拠点Ｂ」の迂回接続帯域（迂回接続帯域（１））を減算した使用帯域である。
【００７６】
センタルータ４の帯域減少セッション確立部４４３は、管理サーバ５から拠点Ａとの再接続指示を受信すると、拠点Ａの回線番号を宛先として切断要求［ＢＹＥ］を送信する（ステップＳ４６５、Ｓ４７０）。拠点ルータ２ａのセンタ指示切断部２４７ａは、センタルータ４からの切断要求を受信すると、切断応答［２００ＯＫ］を返送する（ステップＳ４７５、Ｓ４８０）。
【００７７】
センタルータ４の帯域減少セッション確立部４４３は、拠点ルータ２ａからの切断応答を受信すると、拠点Ａの回線番号を宛先として呼接続要求［ＩＮＶＩＴＥ］を送信する（ステップＳ４８５、Ｓ４９０）。呼接続要求には、サービスセンタの回線番号（ＳＩＰ用）、サービスセンタの通信種別（ＳＩＰ用）、サービスセンタの使用帯域（ＳＩＰ用）、センタルータ４のＮＧＮ  ＩＰアドレス（データ通信用）、及び、センタルータ４の通信種別（データ通信用）が設定される。サービスセンタの使用帯域は、ステップＳ４６０において管理サーバ５から受信した拠点Ａとの再接続指示に設定されている使用帯域とする。
【００７８】
拠点ルータ２ａの帯域減少再接続部２５１ａは、センタルータ４からの呼接続要求を受信すると、接続応答［２００ＯＫ］を返送する（ステップＳ４９５、Ｓ５００）。接続応答には、拠点ルータ２ａのＮＧＮ  ＩＰアドレス（データ通信用）、及び、拠点ルータ２ａの通信種別（データ通信用）が設定される。センタルータ４の帯域減少セッション確立部４４３は、拠点ルータ２ａからの接続応答を受信すると、受信確認［ＡＣＫ］を返送する（ステップＳ５０５、Ｓ５１０）。
【００７９】
拠点ルータ２ａの帯域減少再接続部２５１ａがセンタルータ４からの受信確認を受信すると、図９のステップＳ１５５と同様の手順により、ＩＰｓｅｃの標準のプロトコルに従って、拠点ルータ２ａとセンタルータ４の間でＩＰｓｅｃトンネルを確立する（ステップＳ５１５）。これにより、拠点ルータ２ａのルーチング設定情報が図１３（ａ）と同様に、センタルータ４のルーチング設定情報が図１３（ｂ）と同様に設定される。ただし、ＩＰｓｅｃ識別子は新たに割当てた値でもよい。
【００８０】
また、センタルータ４の帯域減少セッション確立部４４３は、拠点Ａとの接続完了通知を管理サーバ５へ送信する（ステップＳ５２０）。管理サーバ５のセッション管理部５４４は、拠点Ａとの接続完了通知を受信すると、接続拠点管理テーブルを更新する。図１６は、更新後の接続拠点管理テーブルの設定内容を示す図である。セッション管理部５４４は、接続元「拠点Ａ」、接続先「センタ」が設定されている接続拠点管理テーブルのレコードを特定し、特定したレコードに設定されている合計接続帯域を、現在の合計接続帯域「１２[Mbps]」から迂回接続接続元「拠点Ｂ」の迂回接続帯域（迂回接続帯域（１））「２[Mbps]」を減算した「１０[Mbps]」に書替え、さらに、迂回接続接続元「拠点Ｂ」（迂回接続接続元（１））とその迂回接続帯域（迂回接続帯域（１））の設定値を削除する。
【００８１】
端末１ａとサービス提供サーバ６との間では、図９のステップＳ１６５と同様の手順により、ステップＳ５１５において確立されたＩＰｓｅｃトンネルを利用したデータ通信が行われる（ステップＳ５２５）。
【００８２】
図１２は、図９及び図１０の手順により、端末１ａとサービス提供サーバ６との間、及び、端末１ｂとサービス提供サーバ６との間でデータ通信が行われている際に、端末１ａとサービス提供サーバ６との間の通信が終了した場合のシーケンスである。
拠点Ａの拠点ルータ２ａのデータ通信制御部２８ａが、端末１ａとサービス提供サーバ６との間の通信終了を検出する（ステップＳ６１０）。拠点ルータ２ａのデータ通信制御部２８ａと、センタルータ４のデータ通信制御部４８の間で、ＩＰｓｅｃの標準のプロトコルに従って、ＩＰｓｅｃトンネルを終了する（ステップＳ６１５）。拠点ルータ２ａは、ルーチング設定情報から、センタルータ４とのＩＰｓｅｃトンネルに関するレコードを削除し、センタルータ４は、ルーチング設定情報から、拠点ルータ２ａとのＩＰｓｅｃトンネルに関するレコードを削除する。
【００８３】
続いて、拠点ルータ２ａの切断要求部２５０ａは、切断要求［ＢＹＥ］をサービスセンタの回線番号を宛先として送信する（ステップＳ６２０、Ｓ６２５）。センタルータ４の切断部４４５は、拠点ルータ２ａからの切断要求を受信すると、切断応答［２００ＯＫ］を返送する（ステップＳ６３０、Ｓ６３５）。これにより、拠点ルータ２ａとセンタルータ４の間のセッションが切断される。
【００８４】
センタルータ４の切断部４４５は、拠点Ａとの切断を管理サーバ５へ通知する（ステップＳ６３７）。管理サーバ５のセッション管理部５４４は、接続元「拠点Ａ」、接続先「センタ」が設定されている接続拠点管理テーブルのレコードを特定する。セッション管理部５４４は、特定したレコードに迂回接続接続元及び迂回接続帯域が設定されているため、特定したレコードを削除せず、現在の合計接続帯域「１２[Mbps]」を、接続元「拠点Ａ」の接続帯域「１０[Mbps]」を減算した「２[Mbps]」に書替え、さらに、接続帯域を「０」に書き換える。管理サーバ５の迂回先切断指示部５４５は、接続切断要求［独自メッセージ］を、拠点Ａの迂回元である拠点Ｂの回線番号を宛先として送信する（ステップＳ６４０、Ｓ６４５）。
【００８５】
拠点ルータ２ｂの迂回先切断部２４４ｂは、管理サーバ５から接続切断要求を受信すると、迂回先である拠点Ａの回線番号を宛先として切断要求［ＢＹＥ］を送信する（ステップＳ６５０、Ｓ６５５）。拠点ルータ２ａの迂回元切断部２４９ａは、拠点ルータ２ｂからの切断要求を受信すると、切断応答［２００ＯＫ］を返送する（ステップＳ６６０、Ｓ６６５）。これによって、拠点ルータ２ａと拠点ルータ２ｂの間のセッションが切断される。
【００８６】
拠点ルータ２ｂの迂回先切断部２４４ｂが拠点ルータ２ａからの切断応答を受信すると、データ通信制御部２８ｂは、拠点ルータ２ａのデータ通信制御部２８ａとの間で、ＩＰｓｅｃの標準のプロトコルに従って、ＩＰｓｅｃトンネルを終了する（ステップＳ６７０）。拠点ルータ２ａは、ルーチング設定情報から、拠点ルータ２ｂとのＩＰｓｅｃトンネルに関するレコードを削除し、拠点ルータ２ｂは、ルーチング設定情報から、拠点ルータ２ａとのＩＰｓｅｃトンネルに関するレコードを削除する。
【００８７】
続いて、拠点ルータ２ｂの迂回先切断部２４４ｂは、接続切断要求応答［独自メッセージ］をサービスセンタの回線番号を宛先として送信する（ステップＳ６７５、Ｓ６８０）。管理サーバ５の再接続指示部５４３は、拠点ルータ２ｂからの接続切断要求応答を受信すると、センタルータ４へ拠点Ｂとの再接続指示を送信する（ステップＳ６８５）。この再接続指示には、拠点Ｂの回線番号、通信種別、及び、使用帯域が設定される。使用帯域は、図１０のステップＳ２２０において受信した接続要求に設定されている使用帯域である。
【００８８】
センタルータ４の再接続確立部４４４は、管理サーバ５から拠点Ｂとの再接続指示を受信すると、拠点Ｂの回線番号を宛先として呼接続要求［ＩＮＶＩＴＥ］を送信する（ステップＳ６９０、Ｓ６９５）。呼接続要求には、サービスセンタの回線番号（ＳＩＰ用）、サービスセンタの通信種別（ＳＩＰ用）、サービスセンタの使用帯域（ＳＩＰ用）、センタルータ４のＮＧＮ  ＩＰアドレス（データ通信用）、及び、センタルータ４の通信種別（データ通信用）が設定される。サービスセンタの使用帯域は、ステップＳ６８５において管理サーバ５から受信した拠点Ｂとの再接続指示に含まれる使用帯域とする。
【００８９】
拠点ルータ２ｂの再接続部２４５ｂは、センタルータ４からの呼接続要求を受信すると、接続応答［２００ＯＫ］を返送する（ステップＳ７００、Ｓ７０５）。接続応答には、拠点ルータ２ｂのＮＧＮ  ＩＰアドレス（データ通信用）、及び、拠点ルータ２ｂの通信種別（データ通信用）が設定される。センタルータ４の再接続確立部４４４は、拠点ルータ２ｂからの接続応答を受信すると、受信確認［ＡＣＫ］を返送する（ステップＳ７１０、Ｓ７１５）。
【００９０】
拠点ルータ２ｂの再接続部２４５ｂがセンタルータ４からの受信確認を受信すると、データ通信制御部２８ｂは、センタルータ４のデータ通信制御部４８との間で、ＩＰｓｅｃの標準のプロトコルに従って、拠点ルータ２ｂとセンタルータ４の間でＩＰｓｅｃトンネルを確立する（ステップＳ７２０）。これにより、拠点ルータ２ａのデータ通信制御部２８ａは、記憶部２６ａのルーチング設定情報を、センタルータ４のデータ通信制御部４８は、記憶部４６のルーチング設定情報を更新する。
【００９１】
具体的には、拠点ルータ２ｂのデータ通信制御部２８ｂは、ルーチング設定情報にレコードを追加し、送信データの宛先ＩＰアドレスにステップＳ６９５において受信した呼接続要求に設定されているセンタルータ４のＮＧＮ  ＩＰアドレス「１．１．１．１」を、送信データの差出ＩＰアドレスにステップＳ７００において送信した接続応答に設定した拠点ルータ２ｂのＮＧＮ  ＩＰアドレス「１．１．１．４」を、送信先ローカルアドレスにセンタルータ４のデータ通信制御部４８から受信したサービス提供サーバ６のローカルアドレス「１０．１．１．１」を、送信元ローカルアドレスに端末１ｂのローカルアドレス「１０．１．４．１」を設定する。また、割り当てたＩＰｓｅｃ識別子を設定する。
また、センタルータ４のデータ通信制御部４８は、ルーチング設定情報にレコードを追加し、送信データの宛先ＩＰアドレスにステップＳ７０５において受信した接続応答に設定されている拠点ルータ２ｂのＮＧＮ  ＩＰアドレス「１．１．１．３」を、送信データの差出ＩＰアドレスにステップＳ６９０において送信した呼接続要求に設定したセンタルータ４のＮＧＮ  ＩＰアドレス「１．１．１．１」を、送信先ローカルアドレスに拠点ルータ２ｂから受信した端末１ｂのローカルアドレス「１０．１．４．１」を、送信元ローカルアドレスにサービス提供サーバ６のローカルアドレス「１０．１．１．１」を設定する。また、拠点ルータ２ｂと同じＩＰｓｅｃ識別子を設定する。
【００９２】
また、センタルータ４の再接続確立部４４４は、拠点Ｂとの接続完了通知を管理サーバ５へ送信する（ステップＳ７２５）。管理サーバ５のセッション管理部５４４は、拠点Ｂとの接続完了通知を受信すると、接続拠点管理テーブルを更新する。図１７は、更新後の接続拠点管理テーブルの設定内容を示す図である。セッション管理部５４４は、接続元「拠点Ａ」、接続先「センタ」が設定されている接続拠点管理テーブルのレコードを特定し、特定したレコードの接続元を「拠点Ｂ」に、接続帯域を迂回接続接続元「拠点Ｂ」の迂回接続帯域（迂回接続帯域（１））「２[Mbps]」に書き換え、さらに、迂回接続接続元「拠点Ｂ」（迂回接続接続元（１））とその迂回接続帯域（迂回接続帯域（１））の設定値を削除する。
【００９３】
上記の手順により、端末１ｂとサービス提供サーバ６との間では、ステップＳ７２０において確立されたＩＰｓｅｃトンネルを利用したデータ通信が行われる（ステップＳ７３０）。
【００９４】
図１８は、図１０のステップＳ２１５において、拠点Ｂの拠点ルータ２ｂから送信される接続要求［独自メッセージ］の記述例である。
接続要求のＳＩＰタグには、標準のフォーマットが使用される。符号Ｌ１１の記述「MESSAGE tel:0311112222 SIP/2.0」、符号Ｌ１２の記述「To:sip:0311112222」は、宛先（サービスセンタ）の回線番号が「0311112222」であることを示す。また、符号Ｌ１３の記述「From: sip:0312345678;tag=49583」は、差出（拠点ルータ２ｂ）の回線番号が「0312345678」であることを示す。符号Ｌ１４の記述「Call-ID:asd88asd77a@1.2.3.4」は、呼識別子を示しており、セッションを一意に識別する。
メッセージ本文は、独自のフォーマットである。符号Ｌ１５の記述「Connect request」は、本ＳＩＰメッセージが「接続要求」であることを、符号Ｌ１６の記述「c=IN IP4 1.1.1.4」は、データ通信用のＮＧＮ  ＩＰアドレス（データ通信用）を、符号Ｌ１７の記述「b=10」は、使用帯域を、符号Ｌ１７の記載「m=application 5060 TCP」は、通信種別を示している。
【００９５】
図１９は、図１０のステップＳ２３０において、サービスセンタのセンタルータ４から送信される接続要求応答［独自メッセージ］の記述例である。
接続要求応答のＳＩＰタグにも、標準のフォーマットが使用される。符号Ｌ２１の記述「MESSAGE tel:0312345678 SIP/2.0」、符号Ｌ２２の記述「To:sip:0312345678」は、宛先（拠点ルータ２ｂ）の回線番号が「0312345678」であることを示す。また、符号Ｌ２３の記述「From: sip:0311112222;tag=49583」は、差出（センタルータ４）の回線番号が「0311112222」であることを示す。符号Ｌ２４の記述「Call-ID:asd88asd77a@1.2.3.4」は、呼識別子である。
メッセージ本文は、独自フォーマットである。符号Ｌ２５の記述「Connect request Ack」は、本ＳＩＰメッセージが「接続要求応答」であることを、符号Ｌ２６の記述「SIP/2.0 200OK」は、正常応答を、符号Ｌ２７の記述「to:0312345678」は、迂回先の拠点ルータ２ａの回線番号を示している。
【００９６】
図２０は、図１１のステップＳ４４０において、拠点Ｂの拠点ルータ２ｂから送信される接続切断通知［独自メッセージ］の記述例である。
接続切断通知のＳＩＰタグにも、標準のフォーマットが使用される。符号Ｌ３１〜符号Ｌ３４の記述は、図１８に示す接続要求の符号Ｌ１１〜符号Ｌ１４と同様である。メッセージ本文は、独自フォーマットであり、符号Ｌ３５の記述「Disconnect inform」は、本ＳＩＰメッセージが「接続切断通知」であることを示している。
【００９７】
図２１は、図１１のステップＳ４５０において、サービスセンタのセンタルータ４から送信される接続切断通知応答［独自メッセージ］の記述例である。
接続切断通知応答のＳＩＰタグにも、標準のフォーマットが使用される。符号Ｌ４１〜符号Ｌ４４の記述は、図１９に示す接続要求応答の符号Ｌ２１〜符号Ｌ２４と同様である。メッセージ本文は、独自フォーマットであり、符号Ｌ４５に記述「Disconnect request Ack」は、本ＳＩＰメッセージが「接続切断要求応答」であることを、符号Ｌ４６の記述「SIP/2.0 200OK」は、正常応答を示している。
【００９８】
図２２は、図１２のステップＳ６４０において、センタルータ４から送信される接続切断要求［独自メッセージ］の記述例である。
接続切断要求のＳＩＰタグにも、標準のフォーマットが使用される。符号Ｌ５１〜符号Ｌ５４の記述は、図１８に示す接続要求の符号Ｌ１１〜符号Ｌ１４と同様である。メッセージ本文は、独自フォーマットであり、符号Ｌ５５の記述「Disconnect request」は、本ＳＩＰメッセージが「接続切断要求」であることを、符号Ｌ５６の記述「to:0312345678」は、切断の対象である拠点ルータ２ａの回線番号を示している。
【００９９】
図２３は、図１２のステップＳ６７５において、拠点Ｂの拠点ルータ２ｂから送信される接続切断要求応答［独自メッセージ］の記述例である。
接続切断要求応答のＳＩＰタグにも、標準のフォーマットが使用される。符号Ｌ６１〜符号Ｌ６４の記述は、図１９に示す接続要求応答の符号Ｌ２１〜符号Ｌ２４と同様である。メッセージ本文は、独自フォーマットであり、符号Ｌ６５に記述「Disconnect request Ack」は、本ＳＩＰメッセージが「接続切断要求応答」であることを、符号Ｌ６６の記述「SIP/2.0 200OK」は、正常応答を示している。
【０１００】
上記実施形態によれば、物理回線を増設することなく、物理回線に割当てられたセッション数の制限を超えて拠点とセンタとの間のセッションを確立することが可能となる。
ＳＩＰでは、一旦確立したセッションは、メディアストリームのポート番号をゼロにすることにより、セッションを継続しながらメディアストリームの通信を完了させることができる。しかし、このようにセッション継続中に減らしたメディアストリームについては削除することはできず、何度かメディアストリームの増減を繰り返すとＳＩＰセッションにポート番号ゼロのメディアストリームが残ってしまう。そのため、迂回先のセッションを一旦終了することにより、実際は使用していないがポート０として残ってしまっているメディアストリームを解除し、実際に使用するメディアストリームを新たに確立することができる。
【０１０１】
なお、センタルータ４と管理サーバ５は、同じ装置において実現してもよい。
また、上記においては、１つの迂回先拠点ルータにおいて、１つの迂回元拠点ルータとセンタルータ４との間のセッションを迂回させる例を示したが、１つの迂回先拠点ルータにおいて、２以上の迂回元拠点ルータのセッションを迂回させるようにしてもよい。
例えば、拠点Ａとセンタとの間の上限帯域が１５Mbpsであり、現在１０Mbpsを使用して拠点Ａの拠点ルータ２ａとセンタルータ４のセッションが確立されている場合、拠点Ｂの拠点ルータ２ｂから要求された２Mbpsの帯域、拠点Ｎの拠点ルータ２ｎから要求された１Mbpsの帯域のセッションを、拠点Ａの拠点ルータ２ａにおいて同時に迂回させることができる。
【０１０２】
なお、上述の端末１、拠点ルータ２、ＳＩＰサーバ３、センタルータ４、管理サーバ５、及び、サービス提供サーバ６は、内部にコンピュータシステムを有している。そして、端末１、拠点ルータ２のセッション制御部２４及びデータ通信制御部２８、ＳＩＰサーバ３、センタルータ４のセッション制御部４４及びデータ通信制御部４８、管理サーバ５のセッション指示部５４、ならびに、サービス提供サーバ６の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＣＰＵ及び各種メモリやＯＳ、周辺機器等のハードウェアを含むものである。
【０１０３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【０１０４】
１、１ａ、１ｂ、１ｎ…端末
２、２ａ、２ｂ、２ｎ…拠点ルータ（拠点通信装置）
２２…通信インタフェース部
２４…セッション制御部
２４１…接続要求部
２４２…迂回先切断要求部
２４３…迂回先切断通知部
２４４…迂回先切断部
２４５…再接続部
２４６…迂回セッション確立部
２４７…センタ指示切断部
２４８…帯域増加再接続部
２４９…迂回元切断部
２５０…切断要求部
２５１…帯域減少再接続部
２６…記憶部
２８…データ通信制御部（迂回元データ通信制御部、迂回先データ通信制御部）
３…ＳＩＰサーバ
４…センタルータ（センタ通信装置）
４２…通信インタフェース部
４４…セッション制御部
４４１…接続確立部
４４２…帯域増加セッション確立部
４４３…帯域減少セッション確立部
４４４…再接続確立部
４４５…切断部
４６…記憶部
４８…データ通信制御部（センタデータ通信制御部）
５…管理サーバ（センタ通信装置）
５２…通信インタフェース部
５４…セッション指示部
５４１…接続指示部
５４２…接続先選択部
５４３…再接続指示部
５４４…セッション管理部
５４５…迂回先切断指示部
６…サービス提供サーバ
【図１】
2011151456.tif 000003
【図２】
2011151456.tif 000004
【図３】
2011151456.tif 000005
【図４】
2011151456.tif 000006
【図５】
2011151456.tif 000007
【図６】
2011151456.tif 000008
【図７】
2011151456.tif 000009
【図８】
2011151456.tif 000010
【図９】
2011151456.tif 000011
【図１０】
2011151456.tif 000012
【図１１】
2011151456.tif 000013
【図１２】
2011151456.tif 000014
【図１３】
2011151456.tif 000015
【図１４】
2011151456.tif 000016
【図１５】
2011151456.tif 000017
【図１６】
2011151456.tif 000018
【図１７】
2011151456.tif 000019
【図１８】
2011151456.tif 000020
【図１９】
2011151456.tif 000021
【図２０】
2011151456.tif 000022
【図２１】
2011151456.tif 000023
【図２２】
2011151456.tif 000024
【図２３】
2011151456.tif 000025